(57)【要約】  引き出しガイド（４）が、互いに相対的に摺動可能に支持されている第１のガイドレール（９）および少なくとも１つの第２のガイドレール（１０）と、荷重を伝達する転動体（２４，２５，２６）を備えた少なくとも１つのキャリッジ（２２）と、を有しており、少なくとも１つのキャリッジ（２２）は第１のガイドレール（９）と少なくとも１つの第２のガイドレール（１０）との間で摺動可能に支持されていて、少なくとも１つのキャリッジ（２２）は、それぞれ円筒形状を有していて、引き出しガイド（４）の組付け位置でそれぞれ水平方向に延びる軸線を中心として回転可能に支持されている少なくとも３つの転動体（２４，２５，２６）を有しており、キャリッジ（２２）の少なくとも３つの転動体（２４，２５，２６）は、引き出しガイド（４）の組付け位置で、少なくとも３つの互いに上下に位置する転動平面（Ａ，Ｂ，Ｃ）に配置されている。
2020531204.tif 000002
【特許請求の範囲】
【請求項１】
引き出しガイド（４）であって、
互いに相対的に摺動可能に支持されている第１のガイドレール（９）および少なくとも１つの第２のガイドレール（１０）と、
荷重を伝達する転動体（２４，２５，２６）を備えた少なくとも１つのキャリッジ（２２）と、を有しており、前記少なくとも１つのキャリッジ（２２）は前記第１のガイドレール（９）と前記少なくとも１つの第２のガイドレール（１０）との間で摺動可能に支持されていて、前記少なくとも１つのキャリッジ（２２）は、それぞれ円筒形状を有していて、前記引き出しガイド（４）の組付け位置でそれぞれ水平方向に延びる軸線を中心として回転可能に支持されている少なくとも３つの転動体（２４，２５，２６）を有している、引き出しガイド（４）において、
前記キャリッジ（２２）の前記少なくとも３つの転動体（２４，２５，２６）は、前記引き出しガイド（４）の前記組付け位置で、少なくとも３つの互いに上下に位置する転動平面（Ａ，Ｂ，Ｃ）に配置されていることを特徴とする、引き出しガイド（４）。
【請求項２】
前記ガイドレール（９，１０）の長手方向（Ｌ）に対して直角に延びる平面を示す図において、前記少なくとも３つの転動体（２４，２５，２６）は、横方向に互いにずらされて配置されている、請求項１記載の引き出しガイド。
【請求項３】
前記ガイドレール（９，１０）の長手方向（Ｌ）に対して直角に延びる平面を示す図において、前記少なくとも３つの転動体（２４，２５，２６）のうちの第１の転動体（２４）は、第２の転動体（２５）および第３の転動体（２６）に対して相対的に最も低い位置を占めており、前記第２の転動体（２５）と前記第３の転動体（２６）とは、前記第１の転動体（２４）の完全に上方に配置されている、請求項１または２記載の引き出しガイド。
【請求項４】
前記ガイドレール（９，１０）の長手方向（Ｌ）に対して直角に延びる平面を示す図において、前記少なくとも３つの転動体（２４，２５，２６）のうちの少なくとも２つの転動体は、部分的にのみ相対的に互いに上下に配置されている、請求項１から３までのいずれか１項記載の引き出しガイド。
【請求項５】
前記少なくとも３つの転動体（２４，２５，２６）は、前記ガイドレール（９，１０）の長手方向（Ｌ）に沿って延びる方向で、互いに間隔を置いて配置されている、請求項１から４までのいずれか１項記載の引き出しガイド。
【請求項６】
前記少なくとも３つの転動体（２４，２５，２６）はそれぞれ、前記少なくとも１つのキャリッジ（２２）に対して、前記キャリッジ（２２）の長手方向（Ｌ）で定位置に支持されている、請求項１から５までのいずれか１項記載の引き出しガイド。
【請求項７】
前記転動体（２４，２５，２６）の軸線はそれぞれ、互いに上下に位置する３つの転動平面（Ａ，Ｂ，Ｃ）内に配置されている、請求項１から６までのいずれか１項記載の引き出しガイド。
【請求項８】
前記少なくとも３つの転動体（２４，２５，２６）のうちの少なくとも２つは、好適には３つは、それぞれ異なる直径を有している、請求項１から７までのいずれか１項記載の引き出しガイド。
【請求項９】
前記少なくとも３つの転動体（２４，２５，２６）のうちの、前記キャリッジ（２２）の前端部に支持されている転動体（２４）は、その他の転動体（２５，２６）よりも小さい直径を有している、請求項８記載の引き出しガイド。
【請求項１０】
前記少なくとも３つの転動体（２４，２５，２６）のうちの第１の転動体（２４）が第１の転動体グループに、前記少なくとも３つの転動体（２４，２５，２６）のうちの第２の転動体（２５）が第２の転動体グループに、前記少なくとも３つの転動体（２４，２５，２６）のうちの第３の転動体（２６）が第３の転動体グループに、属しており、前記第１、第２、第３の転動体グループは、同じ転動平面（Ａ，Ｂ，Ｃ）に配置されているそれぞれ複数の転動体（２４，２５，２６）を有している、請求項１から９までのいずれか１項記載の引き出しガイド。
【請求項１１】
前記引き出しガイド（４）は、引出（３）に取り付けることができる第３のガイドレール（１１）を有しており、前記第１のガイドレール（９）は家具本体（２）に取り付けることができ、前記第２のガイドレール（１０）は、前記第１のガイドレール（９）と前記第３のガイドレール（１１）との間で摺動可能に支持されている、請求項１から１０までのいずれか１項記載の引き出しガイド。
【請求項１２】
ガイドレール（１０）は、側面ウェブ（１０ａ）と、前記側面ウェブ（１０ａ）に屈曲部（３３）を介して接続される横ウェブ（１０ｂ）とを有しており、少なくとも１つの転動体（２４，２５）は、前記横ウェブ（１０ｂ）に沿って、少なくとも１つの別の転動体（２６）は前記屈曲部（３３）に沿って走行可能である、請求項１から１１までのいずれか１項記載の引き出しガイド。
【請求項１３】
前記少なくとも１つのキャリッジ（２２）は、組付け位置で実質的に水平に向けられている３つのウェブ（３４ａ，３４ｂ，３４ｃ）を有しており、前記３つのウェブには、前記少なくとも３つの転動体（２４，２５，２６）のうちのそれぞれ１つが支持されており、好適には、前記転動体（２４，２５，２６）は前記ウェブ（３４ａ，３４ｂ，３４ｃ）を貫通して収容されている、請求項１から１２までのいずれか１項記載の引き出しガイド。
【請求項１４】
前記ウェブ（３４ａ，３４ｂ，３４ｃ）は、前記組付け位置で実質的に鉛直方向に向けられた２つの接続ウェブ（３５ａ，３５ｂ）を介して互いに接続されており、好適には、前記接続ウェブ（３５ａ，３５ｂ）のうちの少なくとも１つは、少なくとも１つの側方の支持ローラ（３１）を有しており、前記支持ローラは特に好適には、前記接続ウェブ（３５ａ，３５ｂ）を貫通して収容されている、請求項１３記載の引き出しガイド。
【請求項１５】
組付け位置で実質的に水平に向けられている前記ウェブ（３４ａ，３４ｂ，３４ｃ）のうちの１つは、前記ガイドレール（９，１０）のうちの少なくとも一方のガイドレールの実質的に全ての幅にわたって延在しており、好適には前記１つのウェブ（３４ａ）は、他の両ウェブ（３４ｂ，３４ｃ）に対して相対的に最も低い位置を占めている、請求項１３または１４記載の引き出しガイド。
【請求項１６】
組付け位置で実質的に水平に向けられている前記ウェブ（３４ａ，３４ｂ，３４ｃ）のうちの１つは、他の両ウェブ（３４ｂ，３４ｃ）のうちの少なくとも一方のウェブの実質的に２倍の幅を有している、請求項１３から１５までのいずれか１項記載の引き出しガイド。
【請求項１７】
前記少なくとも１つのキャリッジ（２２）は、横断面で実質的にＵ字型にまたは実質的にＣ字型に形成されている、請求項１から１６までのいずれか１項記載の引き出しガイド。
【請求項１８】
前記少なくとも１つのキャリッジ（２２）は所定の長さ（３６）を有しており、互いに上下に位置する前記少なくとも３つの転動体（２４，２５，２６）が配置されている領域（３７）は、前記少なくとも１つのキャリッジ（２２）の前記長さ（３６）の一部のみにわたって延在している、請求項１から１７までのいずれか１項記載の引き出しガイド。
【請求項１９】
家具本体（２）に対して相対的に引出（３）を動かすために、請求項１から１８までのいずれか１項記載の少なくとも１つの引き出しガイド（４）を備えた引出（３）。
【発明の詳細な説明】
【技術分野】
【０００１】
本発明は、引き出しガイドであって、
−互いに相対的に摺動可能に支持されている第１のガイドレールおよび少なくとも１つの第２のガイドレールと、
−荷重を伝達する転動体を備えた少なくとも１つのキャリッジと、を有しており、少なくとも１つのキャリッジは第１のガイドレールと少なくとも１つの第２のガイドレールとの間で摺動可能に支持されていて、少なくとも１つのキャリッジは、それぞれ円筒形状を有していて、引き出しガイドの組付け位置でそれぞれ水平方向に延びる軸線を中心として回転可能に支持されている少なくとも３つの転動体を有している、引き出しガイドに関する。
【０００２】
引き出しガイドでは、引出の荷重伝達のために、ガイドレールの摩擦の少ない正確な互いの並進運動を可能にするキャリッジが使用される。キャリッジ（またはキャリッジ保持器）は、（例えば、円筒、球、または円錐の形態の）転動体を有しており、この転動体は、ガイドレールに設けられた転動ウェブに沿って移動可能であるので、ガイドレールは互いに相対的に滑動するように支持可能である。
【０００３】
国際公開第２００７／１０８６０１号および独国特許出願公開第３１２７７０１号明細書には、冒頭で述べた形式ではない引き出しガイドが開示されており、この場合、荷重を伝達する転動体は、１つの共通のキャリッジに支持されている複数の球として形成されている。このような球ガイドには、その球面状の表面に基づき球の利用幅が約７０％までしか利用されず、すなわち、球の幅の約３０％は構成スペースを無駄にしており、重量を高めている、という欠点がある。さらにレール成形体への接触面は単に「点状」に形成されており、このような点接触は支持面積が僅かである他、高い面圧、ひいては球の望ましくない変形にもつながる。
【０００４】
独国実用新案第２９６１９４１３号明細書および独国特許出願公開第４３３７４８５号明細書には、引出のための引き出しガイドが示されており、この場合、水平方向の回転軸線を有した円筒状の転動ローラが、互いに上下に配置された２つの転動平面に配置されている。これに加えて、鉛直方向の回転軸線を備えた側方の補償ローラが設けられており、この補償ローラにより、引き出しレールを本体レールに対して相対的に、側方方向でガイドすることができる。荷重を伝達する転動ローラおよび側方の補償ローラは、１つの共通のキャリッジに支持されている。
【０００５】
国際公開第２０１７／１０６８８９号には、本体レールと、中央レールと、荷重レールとを備えた引き出しガイドが示されており、これらレールの間には、荷重を伝達する転動体を備えたそれぞれ摺動可能に配置された複数のキャリッジが配置されている。
【０００６】
本発明の課題は、キャリッジの安定的かつコンパクトな構成を備えた冒頭で述べた形式の引き出しガイドを提供することである。
【０００７】
この課題は、本発明によれば、請求項１の特徴により解決される。本発明のさらなる実施例は、従属請求項に記載されている。
【０００８】
したがって本発明によれば、キャリッジの少なくとも３つの転動体は、引き出しガイドの組付け位置で、少なくとも３つの互いに上下に位置する転動平面に配置されている。
【０００９】
したがって、キャリッジは少なくとも３つの転動体または少なくとも３つの転動体グループを有しており、これら転動体の回転軸線はそれぞれ、互いに別個の転動平面に、家具本体への引き出しガイドの組付け位置で、高さ方向において互いに間隔を置いて配置されている。
【００１０】
このような構成は、冒頭で述べた国際公開第２００７／１０８６０１号および独国特許出願公開第３１２７７０１号明細書を勘案しても容易に想到される手段ではない。何故ならば、前記公知文献に示されたキャリッジを備えた引き出しガイドは、水平方向に延びる回転軸線を備えた円筒状のローラを使用するためにはあまりにも大きく改変しなければならないからである。
【００１１】
この場合、安定的かつコンパクトな構成形式の他に、異なる転動平面に少なくとも３つの転動体を配置することによって、発生する力を比較的大きな領域に分散させ、これにより、個々の各転動体には減じられた負荷しかかけられないので、転動体の扁平化の危険を減じることができる。本発明のさらなる利点は、特に、例えばガイドレールの折り曲げられた屈曲部により、ガイドレールのレール成形体の内側の狭められたスペース特性のもとで、一方の転動平面の一方の転動体を、他方の転動平面の他方の転動体に安定的に結合させることにある。
【００１２】
１つの実施例によれば、ガイドレールの長手方向延在に対して直角に延びる平面を示す図において、少なくとも３つの転動体は、横方向に互いにずらされて配置されていてよい。このような３点支持により、引出の負荷によりガイドレールに加えられる側方の傾動モーメントを、互いに横方向にずらされた転動体を介して伝達することができ、ひいてはより良好に吸収することができる。
【００１３】
本発明により可能な構成では、
ガイドレールの長手方向に対して直角に延びる平面を示す図において、少なくとも３つの転動体のうちの第１の転動体が、第２の転動体および第３の転動体に対して相対的に最も低い位置を占めており、第２の転動体と第３の転動体とは、第１の転動体の完全に上方に配置されていてよく、かつ／または
ガイドレールの長手方向に対して直角に延びる平面を示す図において、少なくとも３つの転動体のうちの少なくとも２つの転動体は、部分的にのみ相対的に互いに上下に（即ち、上下方向で互いに部分的に重なるように）配置されていてよく、かつ／または
少なくとも３つの転動体は、ガイドレールの長手方向に沿って延びる方向において、互いに間隔を置いて配置されていてよい。
【００１４】
本発明のその他の詳細および利点は、以下の図面の説明につき詳しく説明される。
【図面の簡単な説明】
【００１５】
【図１】引き出しガイドによって家具本体に対して相対的に移動可能に支持された引出を備えた家具を示す斜視図である。
【図２】引出側壁に接続することができる引き出しガイドを示す図である。
【図３】家具本体に取り付けることができるガイドレールを、互いに別個の２つのキャリッジと共に示す斜視図である。
【図４ａ】歯列を備えたキャリッジを示す斜視図である。
【図４ｂ】キャリッジの保持器を示す斜視図である。
【図５ａ】１つの実施例における転動体を備えたガイドレールを示す横断面図である。
【図５ｂ】別の実施例における転動体を備えたガイドレールを示す横断面図である。
【００１６】
図１には、キャビネット形の家具本体２を備えた家具１が示されており、引出３は、引き出しガイド４を介して家具本体２に対して相対的に移動可能に支持されている。引出３は、それぞれ１つのフロントパネル５と、引出底板６と、引出側壁７と、背壁８とを有している。引き出しガイド４は、取付区分１２ａ，１２ｂを介して家具本体２に取り付けることができるそれぞれ１つの第１のガイドレール９と、第１のガイドレール９に対して相対的に移動可能に支持されている少なくとも１つの第２のガイドレール１０とを含む。図示した実施例では、引出３に取り付けることができるさらに１つの第３のガイドレール１１が設けられており、第２のガイドレール１０は、定置の第１のガイドレール９と、第３のガイドレール１１との間で引き出しを延長させる中間レールとして機能するように摺動可能である。
【００１７】
図２には、引き出しガイド４と引出側壁７の配置が斜視図で示されている。第１のガイドレール９の取付区分１２ａ，１２ｂは、家具本体２に取り付けるためにそれぞれ１つ以上の取付個所１３，１４を有している。第３のガイドレール１１は引出側壁７に接続されている、または取り外し可能に接続可能であって、第２のガイドレール１０は第１のガイドレール９と第３のガイドレール１１との間で移動可能である。第１のガイドレール９には、連結エレメント２１が配置されており、この連結エレメントは、引込装置１８の連行体２０に取り外し可能に連結可能であるので、第３のガイドレール１１は、閉鎖運動の終了に向かうとき連行体２０によって把持され、引込装置１８の蓄力器によって閉鎖終端位置へと引き込まれることになる。閉鎖終端位置までの第３のガイドレール１１によるばね支援されたこのような引込運動は、好適には油圧式のピストンシリンダユニットを備えた緩衝装置１９によって緩衝可能である。
【００１８】
引出側壁７は、内側の成形壁７ａと外側の成形壁７ｂとを備えた中空成形体として形成されており、引出側壁７は、下方に向かって開かれた、引出側壁７の長手方向に延在する通路１７を形成しており、この通路内には、引き出しガイド４の第３のガイドレール１１を配置することができる。引出側壁７はさらに、背壁８を結合するための第１の取付装置１５ａ、フロントパネル５を結合するための第２の取付装置１５ｂ、ならびに引出底板６の支持のための載置部１６を有している。
【００１９】
図３には、家具本体２に取り付けることができる取付区分１２ａ，１２ｂを備えた第１のガイドレール９が示されている。第１のガイドレール９は、横断面でＵ字型またはＣ字型の区分を有しており、この区分内には、キャリッジ２２と、このキャリッジとは別個の別のキャリッジ２３とが、第２のガイドレール１０をガイドし支持するために摺動可能に支持されている。キャリッジ２２は、荷重を伝達する転動体２４，２５，２６を有しており、これらの転動体の回転軸線は高さ方向で互いに間隔を置いて配置されていて、ひいては互いに別個の転動平面Ａ，Ｂ，Ｃ（図５ａ、図５ｂ）に配置されている。キャリッジ２２はさらに、組付け位置で鉛直方向に延びる回転軸線を備えた側方の支持ローラ２７も有しており、この側方の支持ローラ２７は一方では、第１のガイドレール９の、長手方向（Ｌ）で延在している鉛直ウェブに沿って、他方では、第２のガイドレール１０の鉛直方向に延びるウェブ１０ｃ（図５ａ、図５ｂ）に沿って、移動可能である。キャリッジ２２に配置された、または形成された歯列２８によって、キャリッジ２２の運動は、歯車を介して、第２のガイドレール１０と第３のガイドレール１１との間に摺動可能に支持されている別のキャリッジの運動と同期することができる。
【００２０】
図４ａには、キャリッジ２２が斜視図で示されている。キャリッジ２２は、保持器３２を含み、この保持器内で、転動体２４，２５，２６と、側方の支持ローラ２７，３１とが、保持器３２に対して、キャリッジ２２の長手方向（Ｌ）で延びる方向において定位置に支持されている。歯列２８は、保持器３２と一体に形成されてよく、または図示したように、保持器３２に取り外し可能に取り付けられていてもよい。このために、歯列２８は長手方向（Ｌ）で互いに間隔を置いて位置する舌片２９を有しており、これらの舌片は、歯列２８の組付け位置で、保持器３２に設けられた対応する切欠３０（図４ｂ）内に形状接続的に係合する。異なる転動平面Ａ，Ｂ，Ｃに配置された転動体２４，２５，２６はそれぞれ、水平方向に延びる軸線を中心として回転可能に支持されている。
【００２１】
図４ｂには、キャリッジ２２の保持器３２が示されており、歯列２８の舌片２９を取り外し可能に受容するための切欠３０を良好に見ることができる。第１の転動体２４は第１の転動平面Ａに、第２の転動体２５は第２の転動平面Ｂに、第３の転動体２６は第３の転動平面Ｃに配置されており、第１、第２、および第３の転動平面Ａ，Ｂ，Ｃは、家具本体２への引き出しガイド４の組付け位置で、高さ方向で互いに間隔を置いて位置している。転動体２４，２５，２６は、長手方向（Ｌ）に沿って延びる方向で互いに間隔を置いて位置していてよい。全ての転動体２４，２５，２６は円筒形状を有している。さらに、転動体２４，２５，２６はそれぞれ異なる直径を有することができる。この場合、少なくとも３つの転動体２４，２５，２６のうちの、キャリッジ２２の前端部に支持されている転動体２４は、その他の転動体２５，２６よりも小さい直径を有していてよい。
【００２２】
１つの実施例によれば、少なくとも１つのキャリッジ２２は、組付け位置で実質的に水平に向けられている３つのウェブ３４ａ，３４ｂ，３４ｃを有しており、これらのウェブには、少なくとも３つの転動体２４，２５，２６のうちのそれぞれ１つが支持されていてよく、この場合、好適には、転動体２４，２５，２６がウェブ３４ａ，３４ｂ，３４ｃを貫通して収容されている。示された図では、ウェブ３４ａ，３４ｂ，３４ｃは、組付け位置で実質的に鉛直方向に向けられた２つの接続ウェブ３５ａ，３５ｂを介して互いに接続されており、好適には、接続ウェブ３５ａ，３５ｂのうちの少なくとも１つは、少なくとも１つの側方の支持ローラ３１を有しており、この支持ローラ３１は特に好適には、これら接続ウェブ３５ａ，３５ｂを貫通して収容されている。
【００２３】
組付け位置で実質的に水平に向けられているウェブ３４ａ，３４ｂ，３４ｃのうちの１つは、ガイドレール９，１０のうちの少なくとも一方のガイドレールの実質的に全ての幅にわたって延在してよく、この場合、好適にはこのウェブ３４ａが、他の２つのウェブ３４ｂ，３４ｃに対して相対的に最も低い位置を占めている。組付け位置で実質的に水平に向けられているウェブ３４ａ，３４ｂ，３４ｃのうちの１つは、他の２つのウェブ３４ｂ，３４ｃのうちの少なくとも一方のウェブの実質的に２倍の幅に形成されていてよい。
【００２４】
少なくとも１つのキャリッジ２２は、横断面で実質的にＵ字型にまたは実質的にＣ字型に形成されていてよい。
【００２５】
図４ａからわかるように、少なくとも１つのキャリッジ２２は長さ３６を有していてよく、この場合、互いに上下に位置する少なくとも３つの転動体２４，２５，２６が配置されている領域３７は、少なくとも１つのキャリッジ２２の長さ３６の一部のみにわたって延在している。
【００２６】
図５ａには、引き出しガイド４の第１のガイドレール９と、これに対して摺動可能な第２のガイドレール１０とが横断面図で示されており、キャリッジ２２の保持器３２は、見易さという理由から図示されていない。第２のガイドレール１０は、好適には鉛直方向の側面ウェブ１０ａと、この側面ウェブ１０ａに屈曲部３３を介して接続されている、好適には水平方向の横ウェブ１０ｂとを有している。第１の転動体２４は、長手方向（Ｌ）で、第１のガイドレール９の走行ウェブに沿って走行可能であり、第２の転動体２５は、第２のガイドレール１０の横ウェブ１０ｂに沿って転動可能であり、第３の転動体２６は、第２のガイドレール１０の屈曲部３３に沿って転動可能である。図示した実施例では、少なくとも１つの第１の転動体２４と少なくとも１つの第３の転動体２６は、互いに別個の転動平面Ａ，Ｃにおいて、屈曲部３３に沿って走行可能に支持されている。キャリッジ２２の側方の支持ローラ３１が示されており、この支持ローラは鉛直方向に延びる回転軸線を有していて、第１のガイドレール９と、第２のガイドレール１０の鉛直方向に延びる側面ウェブ１０ａとの間で転動する。転動体２４，２５，２６はそれぞれ、組付け位置で水平方向に延びる軸線を中心として回転可能に支持されており、転動体２４，２５，２６の回転軸線はそれぞれ、互いに上下に位置する３つの転動平面Ａ，Ｂ，Ｃ内に配置されている。
【００２７】
ガイドレール９，１０の長手方向（Ｌ）に対して直角に延びる平面を示す図において（すなわち、長手方向（Ｌ）に対して垂直な平面を示す図において）、転動体２４，２５，２６が横方向で互いにずらされて配置されているならば、側方の傾動モーメントを補償する改善された支持が行われる。さらに、ガイドレール９，１０の長手方向（Ｌ）に対して直角に延びる平面を示す図において、少なくとも３つの転動体２４，２５，２６のうちの第１の転動体２４が第２の転動体２５および第３の転動体２６に対して相対的に最も低い位置を占めていてよく、この場合、第２の転動体２５と第３の転動体２６とは、第１の転動体２４の完全に上方に配置されている。さらに図面には、ガイドレール９，１０の長手方向（Ｌ）に対して直角に延びる平面を示す図において、少なくとも３つの転動体２４，２５，２６のうちの少なくとも２つの転動体２５，２６が、部分的にのみ相対的に互いに上下に配置されていることが示されている。第２のガイドレール１０の横ウェブ１０ｂは、鉛直方向に延びるウェブ１０ｃに接続されており、鉛直方向の回転軸線を有する側方の支持ローラ２７は、第１のガイドレール９と、第２のガイドレール１０の鉛直方向に延びるウェブ１０ｃとの間で転動可能である。
【００２８】
図５ｂには、僅かに異なる転動体２４，２５，２６の配置を有するガイドレール９，１０の横断面が示されている。図５ａに示すように、共通の転動平面Ａにおいて互いに側方に間隔を置いて配置されている複数の転動体２４の代わりに、図５ｂでは、より大きな幅を有する１つだけの転動体２４が設けられている。
【００２９】
全ての実施例では、少なくとも３つの転動体２４，２５，２６のうちの第１の転動体２４が第１の転動体グループに、少なくとも３つの転動体２４，２５，２６のうちの第２の転動体２５が第２の転動体グループに、少なくとも３つの転動体２４，２５，２６のうちの第３の転動体２６が第３の転動体グループに属している。この場合、第１、第２、第３の転動体グループは、同じ転動平面Ａ，Ｂ，Ｃに配置されているそれぞれ複数の転動体２４，２５，２６を有している。さらに、同じ転動平面Ａ，Ｂ，Ｃに配置されている複数の転動体２４，２５，２６は、キャリッジ２２の長手方向（Ｌ）で互いに間隔を置いて配置されてよく、かつ／または互いに相対的に側方でずらされて配置されていてよい。
【図１】
2020531204.tif 000003
【図２】
2020531204.tif 000004
【図３】
2020531204.tif 000005
【図４ａ】
2020531204.tif 000006
【図４ｂ】
2020531204.tif 000007
【図５ａ】
2020531204.tif 000008
【図５ｂ】
2020531204.tif 000009
【国際調査報告】
2020531204.tif 000010
2020531204.tif 000011
2020531204.tif 000012
2020531204.tif 000013